(57)【要約】 【課題】電磁シールド室内において使用される装置等に悪影響を及ぼさず、コスト削減及びメンテナンス性を向上させることができる照明システムを提供する。  【解決手段】本発明の照明システムは、電磁シールド室Ｚ外に配置され交流電流を直流電流に変換する電源装置１と、電磁シールド室Ｚを区画する壁部に配置されたノイズフィルタ２と、電源装置１とノイズフィルタ２とをつなぐ第一配線部３と、電磁シールド室Ｚ内に配置された複数の直流照明器具４と、電磁シールド室Ｚ内に配置され複数の直流照明器具４に直流電流を所定電流で供給するドライブユニット５と、ノイズフィルタ２とドライブユニット５とをつなぐ第二配線部６と、ドライブユニット５と複数の直流照明器具４とをつなぐ第三配線部７と、を備え、第三配線部７は、直流照明器具４の数に応じた複数の一対の配線を有することを特徴とする。  【選択図】図１
2016001636.tif 000002
【特許請求の範囲】
【請求項１】
電磁シールド室外に配置され交流電流を直流電流に変換する電源装置と、
前記電磁シールド室を区画する壁部に配置され、前記電源装置から供給された直流電流のノイズを除去するノイズフィルタと、
前記電源装置と前記ノイズフィルタとをつなぐ一対の配線を有する第一配線部と、
前記電磁シールド室内に配置された複数の直流照明器具と、
前記電磁シールド室内に配置され前記ノイズフィルタを通じ供給された直流電流を前記複数の直流照明器具に所定電流で供給するドライブユニットと、
前記ノイズフィルタと前記ドライブユニットとをつなぐ一対の配線を有する第二配線部と、
前記ドライブユニットと前記複数の直流照明器具とをつなぐ第三配線部と、
を備え、
前記第三配線部は、前記直流照明器具の数に応じた複数の一対の配線を有することを特徴とする照明システム。
【請求項２】
請求項１において、
前記直流照明器具は、ＬＥＤ照明器具である照明システム。
【請求項３】
請求項１又は２において、
前記電磁シールド室は、物理的又は目印により区画された１つの作業空間を有し、
前記ノイズフィルタ及び前記ドライブユニットは、前記作業空間に配置されている照明システム。
【発明の詳細な説明】
【技術分野】
【０００１】
本発明は、電磁シールド室に対して設置される照明システムに関する。
【背景技術】
【０００２】
ＭＲＩ（核磁気共鳴画像法）装置が配置されたＭＲＩ室を始めとした電磁シールド室では、器具により生じるノイズがＭＲＩ装置に悪影響を及ぼすため、市販のＬＥＤ照明器具の設置は不可能であった。具体的に、ＬＥＤは直流で駆動するため、商用電源の交流電流から直流電流に変換するＡＣ−ＤＣ変換器を照明器具それぞれに備えなければならず、そこで生じるノイズがＭＲＩ装置を始めとした装置の動作に悪影響を及ぼす為である。
【０００３】
従来から、蛍光灯は電磁シールド室の照明として用いることが出来ず、特開２００４−２５３３０２号公報に記載のように、電磁シールド室内で使用する装置の動作に悪影響を及ぼさないハロゲンランプや白熱ランプを光源とするもののみ使用する事ができる。しかしながら、消費電力あたりの照度が蛍光灯に比べ低く、十分な室内照度を得るためには相当数の照明器具を設置する必要があり、それに伴い電力量や発熱量が増加するという問題がある。
【先行技術文献】
【特許文献】
【０００４】
【特許文献１】特開２００４−２５３３０２号公報
【発明の概要】
【発明が解決しようとする課題】
【０００５】
しかしながら、電磁シールド室の一つであるＭＲＩ室には常時強磁場を発生しているＭＲＩ装置が配置されているため、ランプ交換等の照明のメンテナンスを行うことは、細心の注意が必要とされ作業者の負担となっている。例えば、ＭＲＩ装置に工具・脚立等が引き寄せられ、吸着することなどに注意する必要がある。また、従来の光源ランプの寿命が約１０００〜２０００時間と短いためメンテナンスの頻度が多く多大なメンテナンスコストがかかっていた。そこで、寿命が長く、消費電力あたりの輝度が高いＬＥＤ照明器具の電磁シールド室への利用が求められている。
【０００６】
また、ＬＥＤ照明器具を電磁シールド室に配置する場合、特許公開２０１３−７７７２２のようにノイズを除去するために、ＬＥＤ照明器具に対してノイズを除去するノイズフィルタ及び所定電流を提供するためのＡＣ−ＤＣ変換器が複数必要となる。また、ノイズフィルタとＡＣ−ＤＣ変換器とをつなぐ配線もＬＥＤ照明器具の数だけ必要となる。この構成では、部品点数も設置スペースも増加し、コスト及びメンテナンスの面で課題が残る。
【０００７】
本発明は、このような事情に鑑みて為されたものであり、電磁シールド室の性能及び室内で使用される装置の動作に悪影響を与えず、コスト削減、メンテナンス性の向上及び省エネルギー化が可能な照明システムを提供することを目的とする。
【課題を解決するための手段】
【０００８】
本発明の照明システムは、電磁シールド室外に配置され交流電流を直流電流に変換する電源装置と、前記電磁シールド室を区画する壁部に配置され、前記電源装置から供給された直流電流のノイズを除去するノイズフィルタと、前記電源装置と前記ノイズフィルタとをつなぐ一対の配線を有する第一配線部と、前記電磁シールド室内に配置された複数の直流照明器具と、前記電磁シールド室内に配置され前記ノイズフィルタを通じ供給された直流電流を前記複数の直流照明器具に所定電流で供給するドライブユニットと、前記ノイズフィルタと前記ドライブユニットとをつなぐ一対の配線を有する第二配線部と、前記ドライブユニットと前記複数の直流照明器具とをつなぐ第三配線部と、を備え、前記第三配線部は、前記直流照明器具の数に応じた複数の一対の配線を有することを特徴とする。
【０００９】
この構成によれば、ノイズフィルタによりノイズが除去された直流電流を照明器具に供給できるため、電磁シールド室の照明に、ＬＥＤ照明器具などの省エネルギーで長寿命の直流照明器具を用いることができる。これにより、ＭＲＩ装置が配置されているなどで作業に相当の注意が必要な部屋に対して、ランプ交換等のメンテナンスの回数を減らすことができる。これによりメンテナンス作業に起因する吸着事故を引き起こすリスクを低減させる事にもつながる。
【００１０】
また、本発明によれば、複数の直流照明器具に対して１つのドライブユニット及びノイズフィルタが設けられているため、各直流照明器具それぞれに対してＡＣ−ＤＣ変換器とノイズフィルタを準備する必要がなく、システムのコンパクト化、配線の省力化、部品点数の削減、及びコストの削減が可能となる。また、電磁シールド室内での作業において、点検作業が１つのドライブユニットを対象にすれば足り、注意が必要な電磁シールド室内での作業を簡易化でき、ひいてはメンテナンス性を向上させることができる。
【図面の簡単な説明】
【００１１】
【図１】本実施形態の照明システムの構成を示す構成図である。
【図２】本実施形態のドライブユニットの回路構成を示す回路図である。
【発明を実施するための形態】
【００１２】
以下、本発明の実施形態について図に基づいて説明する。本実施形態の照明システムは、電磁シールド室Ｚ、ここではＭＲＩ室に用いられる。電磁シールド室Ｚとは、内壁面に電磁波シールド面Ｚ１が設置されている部屋であり、外部からの電磁波を遮断する事、及び内部に設置する各種装置から発する電磁波を遮断し、外部に漏洩させない事を目的とした部屋である。
【００１３】
本実施形態の照明システムは、図１に示すように、電源装置１と、ノイズフィルタ２と、第一配線部３と、ＬＥＤ照明器具４と、ドライブユニット５と、第二配線部６と、第三配線部７と、を備えている。
【００１４】
電源装置１は、商用電源Ｘから供給される交流電流を直流電流に変換するいわゆるＡＣ−ＤＣ変換器である。電源装置１は、電磁シールド室Ｚ外（例えば機械室）に配置されている。電源装置１は、照明のスイッチＹがオンになると、電流変換して所定の電圧の直流電流を出力する。
【００１５】
ノイズフィルタ２は、第二配線部６を流れる直流電流から電源装置１で生じるノイズや外来ノイズを除去するノイズフィルタである。ノイズフィルタ２は、電磁シールド室Ｚの壁部（ここでは内壁面、すなわち電磁波シールド面）Ｚ１に設置されている。ノイズフィルタ２は、例えばＲＦフィルタである。なお、ノイズフィルタ２は、壁部の外壁面（電磁シールド室Ｚ外側の面）に設置されても良い。ノイズフィルタ２が壁部の内壁面又は外壁面に設置されることで、壁部内に設置される場合と比較して、本体が露出しているためメンテナンス性が向上する。ノイズフィルタ２は、例えば金属製の板（シールド板）を介して壁面に固定（例えばねじ止め固定）されている。第一配線部３は、壁部内の配管を通じるなどしてノイズフィルタ２に接続されている。
【００１６】
第一配線部３は、電源装置１とノイズフィルタ２とをつなぐ配線部分であり、一対の配線で構成されている。第一配線部３は、電磁シールド室Ｚ外に配置されている。ＬＥＤ照明器具４は、ＬＥＤ（Ｌｉｇｈｔ  Ｅｍｉｔｔｉｎｇ  Ｄｉｏｄｅ）を用いた照明器具である。複数のＬＥＤ照明器具４が電磁シールド室Ｚ内の天井（あるいは壁面）に設置されている。
【００１７】
ドライブユニット５は、複数のＬＥＤ照明器具４に定電流（所定電流）を供給する装置である。ドライブユニット５は、電磁シールド室Ｚ内に配置されている。ドライブユニット５の詳細は後述する。第二配線部６は、ノイズフィルタ２とドライブユニット５とをつなぐ配線部分であり、一対の配線で構成されている。第二配線部６は、電磁シールド室Ｚ内に配置されている。
【００１８】
第三配線部７は、ドライブユニット５と複数のＬＥＤ照明器具４とをつなぐ配線部分であり、ＬＥＤ照明器具４の数に応じた複数の配線（一対の配線）で構成されている。例えばＬＥＤ照明器具４が１０個設置される場合、第三配線部７は２０本の配線（１０組の配線）で構成される（２灯式の場合さらに倍）。第三配線部７は、電磁波シールド面Ｚ１と天井（あるいは壁）の間の空間を介してＬＥＤ照明器具４に接続されている。
【００１９】
本実施形態では、電磁シールド室Ｚ内に１つの区画された空間が設けられている。区画は壁や扉等による物理的な区画でも良く、床にラインを引いたり目印になるものを設置したりするなどの目印による区画でも良い。当該区画された空間を作業空間Ｒと称する。本実施形態では、電磁シールド室Ｚ内に壁や扉で区画された作業室が形成されており、当該作業室が作業空間Ｒとなる。ノイズフィルタ２、ドライブユニット５、及び第二配線部６は、作業空間（作業室）Ｒ内に配置されている。
【００２０】
ここで、ドライブユニット５についてさらに説明する。ドライブユニット５は、図２に示すように、サーキットプロテクタ５１と、第一抵抗器５２と、第二抵抗器５３と、ファンスイッチ５４と、第三抵抗器５５と、第一運転ランプ５６１と、第四抵抗器５７と、第二運転ランプ５６２と、ファン５８と、第一照明スイッチ５９１と、第二照明スイッチ５９２と、複数の定電流ユニットＡと、を備えている。
【００２１】
サーキットプロテクタ５１は、過電流から回路を保護する機器である。サーキットプロテクト５１は、配線Ｂ１上に配置されている。配線Ｂ１は、第二配線部６のうち正の電圧が印加されるプラス側の配線に接続されている。サーキットプロテクタ５１の一端は、配線Ｂ１及び第二配線部６を介してノイズフィルタ２に接続されている。なお、説明において、一端は一方端子、他端は他方端子を意味する。
【００２２】
第一抵抗器５２は、一端がサーキットプロテクタ５１の一端に接続され、他端が第二抵抗器５３の一端に接続された抵抗器である。第二抵抗器５３は、一端が第一抵抗器５２の他端に接続され、他端が配線Ｂ２に接続された抵抗器である。配線Ｂ２は、第二配線部６のうちマイナス側の配線に接続されている。
【００２３】
ファンスイッチ５４は、ファン５８をオン／オフするためのスイッチである。ファンスイッチ５４の一端は、第一抵抗器５２の他端及び第二抵抗器５３の一端に接続され、ファンスイッチ５４の他端は、ファン５８のプラス端子に接続されている。
【００２４】
第三抵抗器５５は、一端が第一抵抗器５２の他端と第二抵抗器５３の一端とファンスイッチ５４の一端に接続され、他端が第一運転ランプ５６１の一端に接続された抵抗器である。第一運転ランプ５６１は、他端が配線Ｂ２に接続されたＬＥＤランプである。第一運転ランプ５６１は照明スイッチＹの操作に連動して点灯／消灯するドライブユニットの動作状態を示すランプである。
【００２５】
第四抵抗器５７は、一端がファンスイッチ５４の他端及びファン５８のプラス端子に接続され、他端が第二運転ランプ５６２の一端に接続された抵抗器である。第二運転ランプ５６２は、他端が配線Ｂ２に接続されたＬＥＤランプである。第二運転ランプ５６２は、ファンスイッチ５４の操作によるファン５８のオン／オフに連動して点灯／消灯する。ファン５８は、ファンスイッチ５４のオン／オフに連動して駆動／停止する冷却用のファンである。ファン５８のマイナス端子は、配線Ｂ２に接続されている。
【００２６】
第一照明スイッチ５９１は、一組のＬＥＤ照明器具４を点灯／消灯させるためのスイッチである。一組のＬＥＤ照明器具４は、複数のＬＥＤ照明器具４で構成されている。第一照明スイッチ５９１の一端は、配線Ｂ１（具体的にはサーキットプロテクタ５１の他端及び第一抵抗器５２の一端）に接続されている。第一照明スイッチ５９１の他端は、複数の定電流ユニットＡに接続されている。
【００２７】
第二照明スイッチ５９２は、上記一組とは別の一組のＬＥＤ照明器具４を点灯／消灯させるためのスイッチである。この一組のＬＥＤ照明器具４は、第一照明スイッチ５９１に接続されたものとは異なる複数のＬＥＤ照明器具４で構成されている。第二照明スイッチ５９２の一端は、配線Ｂ１（具体的にはサーキットプロテクタ５１の他端、第一抵抗器５２の一端、及び第一照明スイッチ５９２の一端）に接続されている。第一照明スイッチ５９１の他端は、複数の定電流ユニットＡに接続されている。
【００２８】
定電流ユニットＡは、ノイズフィルタ２から入力された直流電流を一定の電流（ここではＬＥＤ照明器具４の定格電流）にして出力する装置である。ドライブユニット５には、ＬＥＤ照明器具４の数に応じた数の定電流ユニットＡが配置されている。
【００２９】
具体的に、定電流ユニットＡは、保護素子Ａ１と、抵抗器Ａ２と、整流ダイオードＡ３と、を備えている。保護素子Ａ１は、過電流や過熱から回路を保護する素子である。保護素子Ａ１の一端は第一照明スイッチ５９１の他端に接続され、保護素子Ａ１の他端は抵抗器Ａ２の一端に接続されている。
【００３０】
抵抗器Ａ２は、入力される直流電流を一定の電流として出力するための抵抗器である。定電流抵抗器Ａ２の他端は、整流ダイオードＡ３のアノード端子に接続されている。整流ダイオードＡ３のカソード端子は、第三配線部７を介してＬＥＤ照明器具４に接続されている。このようにドライブユニット５は、ＬＥＤ照明器具４の数に応じて、並列接続された複数の抵抗器と整流ダイオードを有している。
【００３１】
（本実施形態の効果）
本実施形態によれば、電磁シールド室外に電源装置１を置き、さらにノイズフィルタ２によりノイズが除去された直流電流を照明器具に供給できるため、電磁シールド室Ｚの照明に、ＬＥＤ照明器具などの省エネルギーで長寿命の直流照明器具を用いることができる。これにより、ＭＲＩ装置が配置されているなどで作業に相当の注意が必要な部屋に対して、ランプ交換等のメンテナンスの回数を減らすことができる。すなわち、本実施形態によれば、電磁シールド室Ｚのメンテナンス性を向上させることができる。これによりメンテナンス作業に起因する吸着事故を引き起こすリスクを低減させる事にもつながる。
【００３２】
また、本実施形態によれば、複数台の照明器具であっても、電源装置１、ドライブユニット５及びノイズフィルタ２は全て１台ずつで賄う事が出来る。従来のように照明器具毎にＡＣ−ＤＣ変換器とノイズフィルタを準備する必要がなく、部品点数の削減及びコストの削減が可能となる。また、ノイズフィルタからドライブユニットまでの配線が１対の配線で足りるため、省スペースでコンパクトな配置が可能となり、配線作業の省力化も実現する。また、電磁シールド室Ｚ内での作業において、点検作業が１つのドライブユニットを対象にすれば足り、注意が必要な電磁シールド室Ｚ内での作業を簡易化でき、ひいてはメンテナンス性を向上させることができる。
【００３３】
特に本実施形態では、照明器具として汎用品であるＬＥＤ照明器具４を用いており、コスト増加を抑制しつつ省エネルギー及び長寿命を容易に実現することができる。
【００３４】
また、本実施形態によれば、ノイズフィルタ２及びドライブユニット５が作業空間Ｒ内に配置されているため、配線や装置などを１つの空間に集めることができ、コンパクトな配置が可能となる。さらに、メンテナンススペースが確保でき、１つのスペースでノイズフィルタ２及びドライブユニット５のメンテナンスが可能であるため、メンテナンス性も向上する。
【００３５】
本発明は、上記実施形態に限られない。例えば照明器具は、ＬＥＤ照明器具４だけでなく、有機ＥＬ（Ｅｌｅｃｔｒｏ−Ｌｕｍｉｎｅｓｃｅｎｃｅ）を用いた有機ＥＬ照明器具であっても良い。つまり、本発明では、省エネルギーや長寿命を実現できる直流の照明器具を用いることができる。また、作業空間Ｒを設けなくても良い。
【符号の説明】
【００３６】
１：電源装置、  ２：ノイズフィルタ、  ３：第一配線部、  
４：ＬＥＤ照明器具（直流照明器具）、  ５：ドライブユニット、
６：第二配線部、  ７：第三配線部、  Ｚ：電磁シールド室、  Ｒ：作業空間
【図１】
2016001636.tif 000003
【図２】
2016001636.tif 000004